(57)【要約】【課題】時刻情報を効率的に伝送する。【解決手段】送信装置は、時刻情報記述子をプリアンブルに含む物理層フレームを生成して送信する。受信装置は、物理層フレームを受信し、時刻情報記述子に含まれる時刻情報を用いて、処理を行う。時刻情報記述子は、プリアンブルとペイロードとを有する物理層フレームのストリームにおける所定の位置の時刻を表す時刻情報の有無を表す時刻情報フラグを含む。時刻情報フラグが、時刻情報があることを表す場合、時刻情報記述子は、時刻情報を、さらに含む。本技術は、例えば、IPパケット等の放送に適用することができる。【選択図】図３
2016225906.tif 000002
【特許請求の範囲】
【請求項１】
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを生成する生成部と、
前記物理層フレームを送信する送信部と
を備える送信装置。
【請求項２】
前記時刻情報記述子は、前記時刻情報を圧縮した圧縮時刻情報を含む
請求項１に記載の送信装置。
【請求項３】
前記時刻情報の1ビット以上の下位ビットを削除することにより、前記時刻情報を、前記圧縮時刻情報に圧縮する
請求項２に記載の送信装置。
【請求項４】
前記時刻情報の1ビット以上の、値が0の上位ビットを削除することにより、前記時刻情報を、前記圧縮時刻情報に圧縮する
請求項２に記載の送信装置。
【請求項５】
前記時刻情報記述子は、前記時刻情報の圧縮モードをさらに含む
請求項２に記載の送信装置。
【請求項６】
前記プリアンブルは、第１プリアンブルと、前記第１プリアンブルに続く第２プリアンブルとを有し、
前記時刻情報記述子は、前記第２プリアンブルに含まれ、
前記時刻情報記述子に含まれる時刻情報は、前記第２プリアンブルの先頭の位置の時刻を表す
請求項１に記載の送信装置。
【請求項７】
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
請求項２に記載の送信装置。
【請求項８】
前記PTPで規定される時刻の情報を構成する48ビットの秒フィールド、及び、32ビットのナノ秒フィールドのうちの前記秒フィールドの1ビット以上の上位ビットを削除するとともに、前記ナノ秒フィールドの1ビット以上の下位ビットを削除することにより、前記時刻情報を、前記圧縮時刻情報に圧縮する
請求項７に記載の送信装置。
【請求項９】
前記ナノ秒フィールドの上位2ビットを、さらに削除することにより、前記時刻情報を、前記圧縮時刻情報に圧縮する
請求項８に記載の送信装置。
【請求項１０】
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを生成することと、
前記物理層フレームを送信することと
を含む送信方法。
【請求項１１】
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを受信する受信部と、
前記物理層フレームのプリアンブルに含まれる前記時刻情報記述子に含まれる時刻情報を用いて、処理を行う処理部と
を備える受信装置。
【請求項１２】
前記時刻情報記述子は、前記時刻情報を圧縮した圧縮時刻情報を含む
請求項１１に記載の受信装置。
【請求項１３】
前記圧縮時刻情報は、前記時刻情報の1ビット以上の下位ビットを削除することにより圧縮されている
請求項１２に記載の受信装置。
【請求項１４】
前記圧縮時刻情報は、前記時刻情報の1ビット以上の、値が0の上位ビットを削除することにより圧縮されている
請求項１２に記載の受信装置。
【請求項１５】
前記時刻情報記述子は、前記時刻情報の圧縮モードをさらに含む
請求項１２に記載の受信装置。
【請求項１６】
前記プリアンブルは、第１プリアンブルと、前記第１プリアンブルに続く第２プリアンブルとを有し、
前記時刻情報記述子は、前記第２プリアンブルに含まれ、
前記時刻情報記述子に含まれる時刻情報は、前記第２プリアンブルの先頭の位置の時刻を表す
請求項１１に記載の受信装置。
【請求項１７】
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
請求項１２に記載の受信装置。
【請求項１８】
前記圧縮時刻情報は、前記PTPで規定される時刻の情報を構成する48ビットの秒フィールド、及び、32ビットのナノ秒フィールドのうちの前記秒フィールドの1ビット以上の上位ビットを削除するとともに、前記ナノ秒フィールドの1ビット以上の下位ビットを削除することにより圧縮されている
請求項１７に記載の受信装置。
【請求項１９】
前記圧縮時刻情報は、前記ナノ秒フィールドの上位2ビットを、さらに削除することにより圧縮されている
請求項１８に記載の受信装置。
【請求項２０】
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを受信することと、
前記物理層フレームのプリアンブルに含まれる前記時刻情報記述子に含まれる時刻情報を用いて、処理を行うことと
を含む受信方法。
【発明の詳細な説明】
【技術分野】
【０００１】
本技術は、送信装置、送信方法、受信装置、及び、受信方法に関し、特に、時刻情報を効率的に伝送することができるようにする送信装置、送信方法、受信装置、及び、受信方法に関する。
【背景技術】
【０００２】
例えば、次世代地上放送規格の１つであるATSC（Advanced Television Systems Committee）3.0では、データ伝送に、主として、TS（Transport Stream）パケットではなく、UDP/IP、すなわち、UDP（User Datagram Protocol）パケットを含むIP（Internet Protocol）パケットを用いることが決定されている。ATSC3.0以外の放送方式でも、将来的に、IPパケットを用いることが期待されている。
【０００３】
なお、TSを放送する場合には、送信側と受信側とで同期をとるための時刻情報として、PCR(Program Clock Reference)が伝送される（例えば、非特許文献１を参照）。
【先行技術文献】
【非特許文献】
【０００４】
【非特許文献１】「ARIB STD-B44  2.0版」、一般社団法人 電波産業会
【発明の概要】
【発明が解決しようとする課題】
【０００５】
ATSC3.0等の放送方式において、送信側と受信側とで同期をとるための時刻情報を伝送する場合には、その時刻情報の伝送を効率的に行うことが要請される。
【０００６】
本技術は、このような状況に鑑みてなされたものであり、時刻情報を効率的に伝送することができるようにするものである。
【課題を解決するための手段】
【０００７】
本技術の送信装置は、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームを生成する生成部と、前記物理層フレームを送信する送信部とを備える送信装置である。
【０００８】
本技術の送信方法は、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームを生成することと、前記物理層フレームを送信することとを含む送信方法である。
【０００９】
本技術の送信装置及び送信方法においては、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームが生成され、前記物理層フレームが送信される。
【００１０】
本技術の受信装置は、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームを受信する受信部と、前記物理層フレームのプリアンブルに含まれる前記時刻情報記述子に含まれる時刻情報を用いて、処理を行う処理部とを備える受信装置である。
【００１１】
本技術の受信方法は、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームを受信することと、前記物理層フレームのプリアンブルに含まれる前記時刻情報記述子に含まれる時刻情報を用いて、処理を行うこととを含む受信方法である。
【００１２】
本技術の受信装置及び受信方法においては、プリアンブルとペイロードとを有する物理層フレームのストリームにおける所定の位置の時刻を表す時刻情報の有無を表す時刻情報フラグを含み、前記時刻情報フラグが、前記時刻情報があることを表す場合に、前記時刻情報を、さらに含む時刻情報記述子を、前記プリアンブルに含む前記物理層フレームが受信され、前記物理層フレームのプリアンブルに含まれる前記時刻情報記述子に含まれる時刻情報を用いて、処理が行われる。
【００１３】
なお、送信装置や受信装置は、独立した装置であっても良いし、１つの装置を構成している内部ブロックであっても良い。
【発明の効果】
【００１４】
本技術によれば、時刻情報を効率的に伝送することができる。
【００１５】
なお、ここに記載された効果は必ずしも限定されるものではなく、本開示中に記載されたいずれかの効果であってもよい。
【図面の簡単な説明】
【００１６】
【図１】本技術を適用した伝送システムの一実施の形態の構成例を示すブロック図である。
【図２】伝送システムで行われる放送のプロトコルスタックの例を示す図である。
【図３】時刻情報を説明する図である。
【図４】NTPパケットのフォーマットを示す図である。
【図５】時刻情報の配置位置の例を説明する図である。
【図６】時刻情報を、物理層フレームのペイロードの先頭に配置する場合の第１の配置例を説明する図である。
【図７】Genericパケットのタイプ情報を説明する図である。
【図８】時刻情報を、物理層フレームのペイロードの先頭に配置する場合の第２の配置例を説明する図である。
【図９】時刻情報を、物理層フレームのペイロードの先頭に配置する場合の第３の配置例を説明する図である。
【図１０】拡張タイプ情報(EXT_TYPE)を説明する図である。
【図１１】送信装置１０の構成例を示すブロック図である。
【図１２】送信装置１０が行う送信処理の例を説明するフローチャートである。
【図１３】受信装置２０の構成例を示すブロック図である。
【図１４】受信装置２０が行う受信処理を説明するフローチャートである。
【図１５】時刻情報として用いることができるPTPで規定される時刻の情報を説明する図である。
【図１６】PTPの伝送頻度を低下させる方法の例を説明する図である。
【図１７】PTPを圧縮する方法の例を説明する図である。
【図１８】PTPを圧縮する圧縮モードの例を示す図である。
【図１９】時刻情報記述子のシンタクスの第１の例を示す図である。
【図２０】時刻情報記述子のシンタクスの第２の例を示す図である。
【図２１】DVB-T.2の物理層フレームであるT2フレーム(T2frame)の構成を示す図である。
【図２２】本技術を適用したコンピュータの一実施の形態の構成例を示すブロック図である。
【発明を実施するための形態】
【００１７】
＜本技術を適用した伝送システムの一実施の形態＞
【００１８】
図１は、本技術を適用した伝送システムの一実施の形態の構成例を示すブロック図である。
【００１９】
図１において、伝送システムは、送信装置１０と受信装置２０から構成される。
【００２０】
送信装置１０は、例えば、番組等のサービスの送信を行う。すなわち、送信装置１０は、例えば、番組（テレビジョン放送番組）等のサービスを構成するコンポーネントとしての画像や音声のデータ等の送信の対象である対象データのストリームを、ディジタル放送信号として、伝送路３０を介して送信（伝送）する。
【００２１】
受信装置２０は、送信装置１０から伝送路３０を介して送信されてくるディジタル放送信号を受信し、元のストリームに復元して出力する。例えば、受信装置２０は、番組等のサービスを構成するコンポーネントとしての画像や音声のデータを出力する。
【００２２】
なお、図１の伝送システムは、ATSC（Advanced Television Systems Committee standards）や、DVB（Digital Video Broadcasting），ISDB（Integrated Services Digital Broadcasting）等に準拠したデータ伝送、その他のデータ伝送に適用することができる。また、伝送路３０としては、地上波や、衛星回線、ケーブルテレビジョン網（有線回線）等を採用することができる。
【００２３】
＜プロトコルスタック＞
【００２４】
図２は、図１の伝送システムで行われる放送のプロトコルスタックの例を示す図である。
【００２５】
すなわち、図２は、図１の伝送システムにおいて扱われるデータ（パケット及びフレーム）のデータ構造を示している。
【００２６】
伝送システムでは、OSI(Open Systems Interconnection)参照モデルの第１層（物理層）L1、第２層（データリンク層）L2、及び、第３層（ネットワーク層）L3のデータが扱われる。
【００２７】
図２において、IPパケット(IP Packet)は、第３層L3のデータであり、Genericパケット(Generic Packet)は、第２層L2のデータである。BBフレーム(Baseband Frame)、FECフレーム(FEC Frame)、及び、物理層フレーム(Physical Frame)は、第１層L1のデータである。
【００２８】
図１の伝送システムでは、データ放送が、IPパケットを用いて行われる。
【００２９】
IPパケットは、IPヘッダ（IP Header）とデータ（Data）とから構成される。IPパケットのデータには、画像や音声等のデータが配置される。
【００３０】
送信装置１０では、IPパケットから、Genericパケットが構成（生成）される。
【００３１】
Genericパケットは、Genericヘッダ（Generic Header）とペイロード（Payload）とから構成される。Genericパケットのペイロードには、１又は複数のIPパケットが配置される。
【００３２】
送信装置１０では、Genericパケットから、BBフレームが構成される。
【００３３】
BBフレームは、BBヘッダ（Baseband Frame Header）とペイロード（Payload）とから構成される。BBフレームのペイロードには、１又は複数のGenericパケットが配置される。
【００３４】
送信装置１０では、１又は複数のBBフレームの単位で、BBフレームが必要に応じてスクランブルされ、そのBBフレームに、物理層のエラー訂正用のパリティ（Parity）が付加されることで、FECフレームが構成される。
【００３５】
さらに、送信装置１０では、１又は複数のFECフレームの単位で、FECフレームに対して、ビットインターリーブや、コンスタレーション上の信号点へのマッピング、時間方向や周波数方向へのインターリーブ等の物理層の処理が必要に応じて行われる。そして、送信装置１０では、物理層の処理後のFECフレームに、プリアンブルが付加され、物理層フレームが構成される。
【００３６】
すなわち、物理層フレームは、プリアンブル(BS, Preamble)とペイロード(Payload)とから構成される。物理層フレームのペイロードには、FECフレームが配置される。
【００３７】
図２では、物理層フレームは、例えば、ATSC3.0のATSCフレームと同様に、プリアンブルとして、"BS(BootStrap)"と"Preamble"とを有する。
【００３８】
ここで、"BS"を、第１プリアンブルBSともいうこととするとともに、"Preamble"を、第２プリアンブルPreambleともいうこととする。
【００３９】
第１プリアンブルBSは、例えば、DVB-T.2のT2フレームを構成するP1シンボルに対応し、第２プリアンブルPreambleは、例えば、T2フレームを構成するP2シンボルに対応する。
【００４０】
また、物理層フレームのペイロードは、例えば、例えば、T2フレームを構成するデータシンボルに対応する。
【００４１】
DVB-T2やATSC3.0で用いられる物理層フレーム構造は、例えば、100msないし200ms以上程度の長さで構成される。物理層フレームについては、プリアンブルを処理した後に、その後のペイロードを処理することが可能となる。
【００４２】
すなわち、受信装置２０は、物理層フレームを受信し、その物理層フレームのプリアンブルを復調する。さらに、受信装置２０は、物理層フレームのプリアンブルを用いて、その物理層フレームのペイロードを処理し、物理層フレームから、FECフレーム、BBフレーム、Genericパケット、及び、IPパケットを、その順で復元する。
【００４３】
なお、物理層フレームのペイロードの処理には、その物理層フレームのプリアンブルが必要となる。そのため、受信装置２０において、物理層フレームの途中から受信が開始された場合には、受信の開始後、次にプリアンブルが出現するまでの間に受信されたデータは破棄される。
【００４４】
＜時刻情報＞
【００４５】
図３は、時刻情報を説明する図である。
【００４６】
図１の伝送システムでは、図２で説明したように、送信装置１０において、IPパケットから、物理層フレームが構成され、その物理層フレームのストリームが、受信装置２０に送信される。
【００４７】
IPパケットでは、TSのPCRのような時刻情報が送信されない。そのため、送信装置１０と受信装置２０との間で同期をとるには、時刻情報を、物理層フレームのストリームに含めることが望ましい。
【００４８】
そこで、送信装置１０は、物理層フレームのストリームに、時刻情報を含めることができる。
【００４９】
時刻情報は、図３に示すように、物理層フレームのプリアンブルに含めることができる。
【００５０】
ここで、物理層フレームのプリアンブルのうちの第１プリアンブルBSとしては、例えば、ATSC3.0では、30ないし40ビット程度が想定されている。したがって、第１プリアンブルBSは、時刻情報を含めるために十分なビット数でないことがある。
【００５１】
そこで、時刻情報は、物理層フレームのプリアンブルのうちの第２プリアンブルPreambleに含めることができる。
【００５２】
時刻情報は、物理層フレームのストリームにおける所定の位置の絶対的な時刻を表す。ストリームにおける所定の位置の時刻とは、所定の位置のビットが、送信装置１０で処理されている最中の所定のタイミングの時刻である。所定の位置のビットが送信装置１０で処理されている最中の所定のタイミングの時刻としては、例えば、送信装置１０のあるブロックから、所定の位置のビットが出力されたときのタイミングの時刻や、送信装置１０のあるブロックで、所定の位置のビットの処理が行われたタイミングの時刻等がある。
【００５３】
ここで、時刻情報が時刻を表す物理層フレームのストリームにおける所定の位置を、時刻位置ということとする。
【００５４】
時刻位置としては、例えば、時刻情報が含まれるプリアンブルを有する物理層フレームの先頭の位置（第１プリアンブルBSの先頭の位置）を採用することができる。
【００５５】
また、時刻位置としては、例えば、時刻情報が含まれるプリアンブルを有する物理層フレームの第１プリアンブルBSと第２プリアンブルPreambleとの境界の位置（第１プリアンブルBSの最後の位置）（第２プリアンブルPreambleの先頭の位置）を採用することができる。
【００５６】
さらに、時刻位置としては、例えば、時刻情報が含まれるプリアンブルを有する物理層フレームの第２プリアンブルPreambleの最後の位置を採用することができる。
【００５７】
その他、時刻位置としては、物理層フレームの任意の位置を採用することができる。
【００５８】
なお、物理層フレームにおいて、第１プリアンブルBSのサンプリング周波数と、第２プリアンブルPreamble以降のサンプリング周波数とは、異なることがあり得る。第１プリアンブルBSのサンプリング周波数と、第２プリアンブルPreamble以降のサンプリング周波数とが異なる場合、第１プリアンブルBSと、第２プリアンブルPreamble以降とでは、時刻のカウントの仕方が異なる。このため、時刻位置として、第１プリアンブルBSの先頭の位置を採用した場合、その時刻位置を基準とした時刻のカウントについては、第１プリアンブルBSと、第２プリアンブルPreamble以降とで、カウントの仕方を変更する必要があることがある。一方、時刻位置として、第２プリアンブルPreambleの先頭の位置を採用した場合、その時刻位置を基準とした時刻のカウント、すなわち、第２プリアンブルPreamble以降の時刻のカウントについては、そのカウントの仕方を変更する必要はない。
【００５９】
そこで、図３では、時刻位置として、時刻情報が含まれるプリアンブルを有する物理層フレームの第２プリアンブルPreambleの先頭の位置（第１プリアンブルBSと第２プリアンブルPreambleとの境界の位置）が採用されている。
【００６０】
プリアンブル（第１プリアンブルBS、第２プリアンブルPreamble）は、各物理層フレームの決まった位置、すなわち、例えば、先頭に存在し、物理層フレームを処理するにあたって、必ず、最初に処理される。したがって、受信装置２０では、プリアンブルに含まれる時刻情報を、容易に取得して処理することができる。
【００６１】
また、プリアンブルは、比較的ロバストに伝送されるので、そのようなプリアンブルに含まれる時刻情報も比較的ロバストに伝送することができる。
【００６２】
ここで、時刻情報としては、例えば、NTP(Network Time Protocol)で規定されている時刻の情報や、3GPP(Third Generation Partnership Project)で規定されている時刻の情報、PTP(Precise Time Protocol)で規定される時刻の情報、GPS(Global Positioning System)情報に含まれる時刻の情報、その他独自に決定された形式の時刻の情報等の任意の時刻の情報を採用することができる。
【００６３】
図４は、NTPパケットのフォーマットを示す図である。
【００６４】
2ビットのLI(Leap Indicator)は、現在月の最後の１分に、うるう秒を挿入又は削除することを示す。3ビットのVN(Version Number)は、NTPのバージョンを示す。3ビットのModeは、NTPの動作モードを示す。
【００６５】
8ビットのStratumは、階層を示し、8ビットのPollは、ポーリング間隔として、連続するNTPメッセージの間隔（秒単位）を示す。8ビットのPrecisionは、システムクロックの精度（秒単位）を示す。
【００６６】
Root Delayは、ルート遅延として、参照時刻までの往復の遅延をNTP短形式で示す。Root Dispersionは、参照時刻までの合計遅延の分散をNTP短形式で示す。Reference IDは、参照時刻を表す識別子を示す。放送システムでは、Reference IDには、NULLを示す"0000"を格納することができる。
【００６７】
Reference Timestampは、参照タイムスタンプとして、システム時刻が最後に補正された時刻をNTP長形式で示す。Origin Timestampは、開始タイムスタンプとして、クライアントからサーバへリクエスト送出したクライアントの時刻をNTP長形式で示す。放送システムでは、Origin Timestampには、"0"を格納することができる。
【００６８】
Receive Timestampは、受信タイムスタンプとして、クライアントからのリクエストを受信したサーバの時刻をNTP長形式で示す。放送システムでは、Receive Timestampには、"0"を格納する。Transmit Timestampは、送信タイムスタンプとして、クライアントへの応答を送出したサーバの時刻をNTP長形式で示す。
【００６９】
その他、NTPパケットは、拡張用のフィールドであるExtension Field 1や、Extension Field 2、さらには、Key Identifierやdgst（メッセージダイジェスト）を、必要に応じて有する。
【００７０】
時刻情報としては、NTPパケットのReference Timestamp等のタイムスタンプと同様の形式で表される64ビットの時刻の情報を採用することができる。
【００７１】
ここで、NTPパケットのタイムスタンプの64ビットの時刻については、リープ秒に起因して、時刻が不連続になる問題があるが、物理層フレームに含める時刻情報としては、十分な粒度がある。
【００７２】
また、時刻情報としては、NTPパケットのタイムスタンプの他、3GPPで規定されている時刻の情報、すなわち、例えば、3GPP TS 36 331において規定されている時刻の情報であるtimeInfo-r11を採用することができる。
【００７３】
timeInfo-r11は、39ビットのtimeInfoUTC-r11、2ビットのdayLightSavingTime-r11、8ビットのleapSeconds-r11、及び、7ビットのlocalTimeOffset-r11の56ビットで構成される。timeInfo-r11については、物理層フレームに含める時刻情報としては、粒度がやや不足気味ではあるが、リープ秒の問題は発生しない。
【００７４】
その他、時刻情報としては、PTPで規定される時刻の情報、すなわち、PTPパケットについて、IEEE1588で規定されている時刻を表す80ビットを採用することができる。PTPパケットの時刻を表す80ビットについては、その80ビットのうちの48ビットが、秒単位の時刻を表し、残りの32ビットがナノ秒単位の時刻を表す。したがって、PTPで規定される時刻の情報は、物理層フレームに含める時刻情報としては、十分な粒度があり、正確な時刻を表すことができる。時刻情報は、受信装置２０で正確な時刻を再生する観点から、より正確な時刻を表すことが望ましく、PTPで規定される時刻の情報を、物理層フレームに含める時刻情報として採用した場合には、正確な時刻情報を伝送し、受信装置２０で正確な時刻を再生することができる。さらに、PTPで規定される時刻の情報については、リープ秒の問題は発生しない。
【００７５】
＜時刻情報の配置位置＞
【００７６】
図５は、時刻情報の配置位置の例を説明する図である。
【００７７】
図３では、時刻情報を、物理層フレームのプリアンブルに配置する（含める）こととしたが、時刻情報は、物理層フレームのプリアンブルの他、例えば、物理層フレームのペイロードに配置することができる。
【００７８】
図５では、時刻情報が、物理層フレームのペイロードの先頭部分に配置されている。
【００７９】
時刻情報を、物理層フレームのペイロードの先頭部分に配置する場合には、受信装置２０では、物理層フレームのプリアンブル（第１プリアンブルBS、第２プリアンブルPreamble）の処理後に、ペイロードの先頭に配置された時刻情報を取得することができる。
【００８０】
＜時刻情報をペイロードに配置する場合の第１の配置例＞
【００８１】
図６は、時刻情報を、物理層フレームのペイロードの先頭に配置する場合の第１の配置例を説明する図である。
【００８２】
第１の配置例では、時刻情報は、物理層フレームのペイロードの先頭としての、物理層フレームのペイロードの先頭のBBフレームの先頭のGenericパケットのペイロードに配置される。
【００８３】
図６は、Genericパケットの構成例を示している。
【００８４】
図６のGenericパケットにおいて、Genericヘッダの先頭には、3ビットのタイプ情報（Type）が設定される。このタイプ情報には、Genericパケットのペイロードに配置されるデータのタイプに関する情報が設定される。
【００８５】
Genericパケットのペイロードに、時刻情報、その他、シグナリングのためのシグナリング情報が配置される場合、Genericヘッダのタイプ情報には、例えば、"100"が設定される。また、Genericヘッダにおいて、"100"が設定されたタイプ情報の次は、1ビットのリザーブド領域（Res：Reserved）とされ、その次に、1ビットのヘッダモード（HM：Header Mode）が配置される。
【００８６】
ヘッダモードとして、"0"が設定された場合、それに続いて、11ビットのレングス情報（Length（LSB））が配置される。このレングス情報は、Genericパケットのペイロードの長さに設定される。一方、ヘッダモードとして、"1"が設定された場合、それに続いて、11ビットのレングス情報（Length（LSB））と、5ビットのレングス情報（Length（MSB））との合計16ビットのレングス情報が配置され、さらに、3ビットのリザーブド領域（Res）が設けられる。
【００８７】
ヘッダモードとして"0"が設定された場合、レングス情報（Length（LSB））は、11ビットであり、その11ビットのレングス情報によって、Genericパケットのペイロードの長さとして、0〜2047（=211-1）バイトの範囲の値を表すことができる。しかしながら、11ビットのレングス情報では、2048バイト以上のペイロードの長さを表すことができない。そこで、ペイロードに、2048バイト以上のデータが配置される場合には、ヘッダモードとして"1"が設定される。この場合、Genericヘッダの領域として1バイト（8ビット）が追加され、レングス情報が、16ビットとなる。この16ビットのレングス情報によって、2048バイト以上のペイロードの長さを表すことができる。
【００８８】
Genericパケットにおいては、以上のように構成されるGenericヘッダに続いて、ペイロードが配置される。ここでは、Genericヘッダのタイプ情報として、"100"が設定されているため、ペイロードには、時刻情報を含むシグナリング情報が配置される。
【００８９】
図７は、図６のGenericパケットのタイプ情報を説明する図である。
【００９０】
GenericパケットのペイロードにIPv4のIPパケットが配置される場合、タイプ情報には、"000"が設定される。また、ペイロードに、圧縮されたIPパケットが配置される場合、タイプ情報には、"001"が設定される。さらに、ペイロードに、MPEG2-TS方式のTSパケットが配置される場合、タイプ情報には、"010"が設定される。
【００９１】
また、ペイロードに、時刻情報等のシグナリング情報が配置される場合には、タイプ情報には、"100"が設定される。なお、図７において、"011"，"101"，"110"の3値のタイプ情報は、未定義（Reserved）となっている。また、3値の未定義（Reserved）だけでは、タイプ情報の拡張に不足が生じる場合には、タイプ情報に、"111"を設定することで、タイプ情報（の領域）を、さらに拡張することができる。
【００９２】
＜時刻情報をペイロードに配置する場合の第２の配置例＞
【００９３】
図８は、時刻情報を、物理層フレームのペイロードの先頭に配置する場合の第２の配置例を説明する図である。
【００９４】
第２の配置例では、時刻情報は、物理層フレームのペイロードの先頭としての、物理層フレームのペイロードの先頭のBBフレームの先頭のGenericパケットのヘッダに配置される。
【００９５】
図８は、Genericパケットの構成例を示している。
【００９６】
図６で説明したように、Genericパケットにおいて、Genericヘッダの先頭の3ビットのタイプ情報（Type）には、Genericパケットのペイロードに配置されるデータのタイプに関するタイプ情報が設定される。
【００９７】
第２の配置例では、Genericヘッダにおいて、3ビットのタイプ情報には、"000"，"001"，又は"010"が設定される。
【００９８】
図７で説明したように、タイプ情報として、"000"が設定された場合、ペイロードには、IPv4のIPパケットが配置され、"001"が設定された場合、ペイロードには、圧縮されたIPパケットが配置される。また、タイプ情報として、"010"が設定された場合、ペイロードには、TSパケットが配置される。
【００９９】
Genericヘッダにおいて、"000"，"001"，又は"010"が設定されたタイプ情報の次には、1ビットのパケット設定情報PC(Packet Configuration)が配置される。パケット設定情報PCとして、"0"が設定された場合、Genericヘッダはノーマルモード（Normal mode）となって、その次に配置されるヘッダモード（HM）に応じて、11ビットのレングス情報（Length）、又は、16ビットのレングス情報及び3ビットのリザーブド領域（Res）が配置される。そして、Genericヘッダに続くペイロードには、Genericヘッダのタイプ情報に応じて、IPv4のIPパケット、圧縮されたIPパケット、又はTSパケットが配置される。
【０１００】
一方、パケット設定情報PCとして、"1"が設定された場合には、Genericヘッダはシグナリングモード（Signaling mode）となって、その次に配置されるヘッダモード（HM）に応じて、レングス情報（Length）が配置される。すなわち、ヘッダモードとして、"0"が設定された場合、それに続いて、11ビットのレングス情報（Length（LSB））が配置される。さらに、Genericヘッダが拡張されて、レングス情報の次に、時刻情報を含むシグナリング情報（Signaling）が配置される。
【０１０１】
また、パケット設定情報PCとして"1"が設定された場合に、ヘッダモード（HM）として"1"が設定されているときには、ヘッダモードに続いて、16ビットのレングス情報（Length）と3ビットのリザーブド領域（Res）が配置される。さらに、Genericヘッダが拡張されて、リザーブド領域（Res）の次に、時刻情報を含むシグナリング情報（Signaling）が配置される。
【０１０２】
以上のシグナリング情報までを、Genericヘッダ（拡張ヘッダ）として、その後に、ペイロードが配置される。ペイロードには、Genericヘッダのタイプ情報に応じて、IPv4や圧縮されたIPパケット等が配置される。
【０１０３】
＜時刻情報をペイロードに配置する場合の第３の配置例＞
【０１０４】
図９は、時刻情報を、物理層フレームのペイロードの先頭に配置する場合の第３の配置例を説明する図である。
【０１０５】
第３の配置例では、時刻情報は、物理層フレームのペイロードの先頭としての、物理層フレームのペイロードの先頭のBBフレームのBBヘッダに配置される。
【０１０６】
図９は、BBフレームの構成例を示している。
【０１０７】
図９において、BBフレームは、BBヘッダとペイロード（Payload）から構成される。BBヘッダには、1又は2バイトのヘッダ（Header）が配置される。さらに、BBヘッダには、1又は2バイトのオプショナルフィールド（Optional Field）と、拡張フィールド（Extension Field）とを配置することができる。
【０１０８】
ヘッダ（Header）の先頭には、1ビットのモード（MODE）が設定される。
【０１０９】
1ビットのモード（MODE）として、"0"が設定された場合、ヘッダには、モードの後に、7ビットのポインタ情報（Pointer(LSB)）のみが配置される。なお、ポインタ情報は、BBフレームのペイロードに配置されるGenericパケットの位置を示すための情報である。例えば、あるBBフレームの最後に配置されたGenericパケットのデータが、次のBBフレームにまたがって配置される場合に、ポインタ情報として、次のBBフレームの先頭に配置されるGenericパケットの位置情報を設定することができる。
【０１１０】
また、モード（MODE）として、"1"が設定された場合、ヘッダには、モードの後に、7ビットのポインタ情報（Pointer(LSB)）と、6ビットのポインタ情報（Pointer(MSB)）と、2ビットのオプショナルフラグ（OPTI：OPTIONAL）とが配置される。オプショナルフラグは、オプショナルフィールド（Optional Field）と、拡張フィールド（Extension Field）を配置して、BBヘッダを拡張するかどうかを示す。
【０１１１】
オプショナルフィールドと拡張フィールドの拡張を行わない場合、オプショナルフラグには、"00"が設定される。
【０１１２】
オプショナルフィールドの拡張のみを行う場合、オプショナルフラグには、"01"又は"10"が設定される。なお、オプショナルフラグとして"01"が設定された場合、オプショナルフィールドには、1バイト(8ビット)のパディングが行われる。また、オプショナルフラグとして"10"が設定された場合、オプショナルフィールドには、2バイト(16ビット)のパディングが行われる。
【０１１３】
オプショナルフィールドと拡張フィールドの拡張を行う場合、オプショナルフラグには、"11"が設定される。この場合、オプショナルフィールドの先頭には、3ビットの拡張タイプ情報(TYPE(EXT_TYPE))が設定される。この拡張タイプ情報には、拡張タイプ情報の次に配置される拡張レングス情報（EXT_Length）と拡張フィールドのタイプ（Extension type）に関する情報が設定される。
【０１１４】
第３の配置例では、拡張フィールド（拡張ヘッダ）に、時刻情報を含むシグナリング情報が配置される。
【０１１５】
すなわち、第３の配置例では、オプショナルフラグ（OPTI）として"11"が設定され、オプショナルフィールドと拡張フィールドの拡張が行われる。さらに、オプショナルフィールドの拡張タイプ情報(TYPE(EXT_TYPE))として"011"が設定され、拡張フィールドに、時刻情報を含むシグナリング情報が配置される。
【０１１６】
図１０は、図９の拡張タイプ情報(TYPE(EXT_TYPE))を説明する図である。
【０１１７】
拡張タイプ情報には、その拡張タイプ情報の次に配置される拡張レングス情報（EXT_Length）と拡張フィールドのタイプ（Extension type）に関する情報が設定される。
【０１１８】
すなわち、拡張タイプ情報(EXT_TYPE)の後に、拡張レングス情報(EXT_Length)を配置し、拡張フィールド(Extension Field)に、スタッフィングバイト（Stuffing Bytes）のみが配置される場合、拡張タイプ情報には、"000"が設定される。
【０１１９】
拡張タイプ情報(EXT_TYPE)の後に、拡張レングス情報(EXT_Length)を配置せずに、拡張フィールド(Extension Field)に、ISSY（Input Stream Synchronizer）が配置される場合、拡張タイプ情報には、"001"が設定される。
【０１２０】
拡張タイプ情報(EXT_TYPE)の後に、拡張レングス情報(EXT_Length)を配置し、拡張フィールド(Extension Field)に、ISSYとともに、スタッフィングバイトが配置される場合、拡張タイプ情報には、"010"が設定される。
【０１２１】
拡張タイプ情報(EXT_TYPE)の後に、拡張レングス情報(EXT_Length)を配置し、拡張フィールド(Extension Field)に、時刻情報を含むシグナリング情報が配置される場合、拡張タイプ情報には、"011"が設定される。この場合、スタッフィングバイトを配置するかどうかは任意である。なお、図１０において、"100"ないし"111"の拡張タイプ情報は、未定義（Reserved）となっている。
【０１２２】
以上のように、時刻情報は、物理層フレームのペイロードの先頭に配置することができる。
【０１２３】
＜送信装置１０の構成例＞
【０１２４】
図１１は、図１の送信装置１０の構成例を示すブロック図である。
【０１２５】
図１１において、送信装置１０は、時刻情報取得部６１、記述子生成部６２、プリアンブル生成部６３、コンポーネント取得部６４、エンコーダ６５、フレーム生成部６６、送信部６７、及び、アンテナ６８を有する。
【０１２６】
時刻情報取得部６１は、時刻情報を取得し、記述子生成部６２に供給する。時刻情報の取得は、以下のようにして行われる。すなわち、BBフレームの構成に必要なパケットが、図示せぬスケジューラに到着すると、フレーム生成部６６でのBBフレームが生成されるときの時刻tから、そのBBフレームを含んで構成される物理層フレームが求められ、その物理層フレームの第２プリアンブルPreambleの先頭の時刻Tが求められる。そして、時刻Tは、スケジューラからコントロール信号として、時刻情報取得部６１に供給される。なお、時刻情報は、SFN同期に用いることができる。
【０１２７】
記述子生成部６２は、時刻情報取得部６１からの時刻情報を含む時刻情報記述子を生成し、プリアンブル生成部６３に供給する
【０１２８】
プリアンブル生成部６３は、記述子生成部６２からの時刻情報記述子を、例えば、第２プリアンブルPreambleに含めたプリアンブル（第１プリアンブルBS、第２プリアンブルPreamble）を生成し、フレーム生成部６６に供給する。
【０１２９】
コンポーネント取得部６４は、サービス（例えば、番組）を構成するコンポーネントとしての画像や音声のデータを取得し、エンコーダ６５に供給する。
【０１３０】
すなわち、コンポーネント取得部６４は、例えば、既に収録されたコンテンツの保管場所から、放送時間帯に応じて該当するコンテンツを取得し、あるいはスタジオやロケーション場所からライブのコンテンツを取得し、そのコンテンツ（のデータ）を、エンコーダ６５に供給する。
【０１３１】
エンコーダ６５は、コンポーネント取得部６４から供給される画像や音声のデータを、所定の符号化方式に従って符号化し、例えば、IPパケットの形で、フレーム生成部６６に供給する。
【０１３２】
フレーム生成部６６は、プリアンブル生成部６３からのプリアンブル、及び、エンコーダ６４からのIPパケットを適宜用いて、物理層フレームを生成（構成）し、送信部６７に供給する。
【０１３３】
すなわち、フレーム生成部６６は、図２で説明したように、エンコーダ６５からのIPパケットを配置したGenericパケットを構成する。さらに、フレーム生成部６６は、GenericパケットをBBフレームのペイロードに配置したBBフレームを構成する。
【０１３４】
また、フレーム生成部６６は、BBフレームからFECフレームを構成し、必要な処理を施して、物理層フレームのペイロードに配置する。
【０１３５】
そして、フレーム生成部６６は、物理層フレームのペイロードに、プリアンブル生成部６３からのプリアンブルを付加することで、物理層フレームを構成し、送信部６７に供給する。
【０１３６】
送信部６７は、フレーム生成部６６からの物理層フレームのディジタル変調やアップコンバート等の処理を行い、アンテナ６８を介して、ディジタル放送信号として送信する。
【０１３７】
なお、図１１の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０１３８】
＜送信処理＞
【０１３９】
図１２は、図１１の送信装置１０が行う送信処理の例を説明するフローチャートである。
【０１４０】
ステップＳ１１において、時刻情報取得部６１は、時刻情報を取得し、記述子生成部６２に供給して、処理は、ステップＳ１２に進む。
【０１４１】
ステップＳ１２では、記述子生成部６２は、時刻情報取得部６１からの時刻情報を必要に応じて含む時刻情報記述子を生成し、プリアンブル生成部６３に供給して、処理は、ステップＳ１３に進む。
【０１４２】
ステップＳ１３では、プリアンブル生成部６３は、記述子生成部６２からの時刻情報記述子を、第２プリアンブルPreambleに含めた物理層フレームのプリアンブルを生成し、フレーム生成部６６に供給して、処理は、ステップＳ１４に進む。
【０１４３】
ステップＳ１４では、コンポーネント取得部６４は、サービスを構成するコンポーネントとしての画像や音声のデータを取得し、エンコーダ６５に供給する。
【０１４４】
エンコーダ６５は、コンポーネント取得部６４から供給される画像や音声のデータの符号化等の処理を行い、IPパケットの形で、フレーム生成部６６に供給して、処理は、ステップＳ１４からステップＳ１５に進む。
【０１４５】
ステップＳ１５では、フレーム生成部６６は、プリアンブル生成部６３からのプリアンブル、及び、エンコーダ６４からのIPパケットを適宜用いて、物理層フレームを生成し、送信部６７に供給して、処理は、ステップＳ１６に進む。
【０１４６】
ステップＳ１６では、送信部６７は、フレーム生成部６６からの物理層フレームを、アンテナ６８を介して、ディジタル放送信号として送信する。
【０１４７】
＜受信装置２０の構成例＞
【０１４８】
図１３は、図１の受信装置２０の構成例を示すブロック図である。
【０１４９】
図１３において、受信装置２０は、アンテナ７１、チューナ７２、復調部７３、処理部７４、表示部７５、及び、スピーカ７６から構成される。
【０１５０】
アンテナ７１は、送信装置１０からのディジタル放送信号を受信し、チューナ７２に供給する。
【０１５１】
チューナ７２は、アンテナ７１からのディジタル放送信号から、所定の周波数チャンネルの成分を選局することで、その周波数チャンネルで送信されてくる物理層フレームを受信し、復調部７３に供給する。
【０１５２】
復調部７３は、チューナ７２から供給される物理層フレームの復調処理を行う。
【０１５３】
すなわち、復調部７３は、物理層フレームのプリアンブル（第１プリアンブルBS、第２プリアンブルPreamble）を復調し、さらに、そのプリアンブルの復調結果を必要に応じて用いて、物理層フレームのペイロードを復調する。
【０１５４】
また、復調部７３は、物理層フレームのペイロードの復調によって得られるFECフレームを復調（復号）する。
【０１５５】
そして、復調部７３は、FECフレームの復調の結果得られるBBフレームから、Genericパケットを復調し、そのGenericパケットから、IPパケットを復調して、処理部７４に供給する。
【０１５６】
また、復調部７３は、復調処理において、物理層フレームのプリアンブルに含まれる時刻情報記述子を取得し、処理部７４に供給する。
【０１５７】
処理部７４は、復調部７３からのIPパケットから番組の画像や音声を復号し、画像を表示部７５に供給するとともに、音声をスピーカ７６に供給する。
【０１５８】
また、処理部７４は、時刻情報取得部８１を有する。時刻情報取得部８１は、復調部７３からの時刻情報記述子から、時刻情報を必要に応じて取得する。処理部７４は、時刻情報取得部８１が取得した時刻情報を用いて、必要な処理を行う。
【０１５９】
すなわち、処理部７４（又は復調部７３）は、時刻情報を用いて、例えば、クロックデータリカバリを行い、送信装置１０との同期をとる同期処理等を行う。また、処理部７４は、時刻情報を用いて、画像や音声等のプレゼンテーションのタイミングを制御するタイミング制御処理等を行う。なお、時刻情報は、その他、例えば、DVB-T.2のSFN同期のような同期等に適用することができる。
【０１６０】
表示部７５は、処理部７４からの画像を表示する。スピーカ７６は、処理部７４からの音声を出力する。
【０１６１】
なお、図１３の受信装置２０においては、表示部７５及びスピーカ７６が内蔵されている構成を説明したが、表示部７５及びスピーカ７６は、外部に設けてもよい。
【０１６２】
＜受信処理＞
【０１６３】
図１４は、図１３の受信装置２０が行う受信処理を説明するフローチャートである。
【０１６４】
ステップＳ２１において、チューナ７２は、アンテナ７１からのディジタル放送信号から、物理層フレームを受信し、復調部７３に供給して、処理は、ステップＳ２２に進む。
【０１６５】
ステップＳ２２では、復調部７３は、チューナ７２から供給される物理層フレームの復調処理を行い、その結果得られるIPパケットや、時刻情報記述子を、処理部７４に供給して、処理は、ステップＳ２３に進む。
【０１６６】
ステップＳ２３では、処理部７４の時刻情報取得部８１が、復調部７３からの時刻情報記述子から、時刻情報を取得し、処理は、ステップＳ２４に進む。ここで、処理部７４では、時刻情報取得部８１が取得した時刻情報を用いて、送信装置１０との同期をとる同期処理等が行われる。
【０１６７】
ステップＳ２４では、処理部７４は、送信装置１０との同期がとられた状態の下で、復調部７３からのIPパケットに含まれるコンポーネントを処理する。すなわち、処理部７４は、復調部７３からのIPパケットから番組の画像や音声を復号し、画像を表示部７５に供給して表示させるとともに、音声をスピーカ７６に供給して出力させる。
【０１６８】
以上のように、図１の伝送システムでは、送信装置１０が、物理層フレームのプリアンブルに、時刻情報（を含む時刻情報記述子）を含めて送信するので、時刻情報を効率的に伝送することができる。
【０１６９】
さらに、図１の伝送システムでは、受信装置２０が、物理層フレームのプリアンブルに含まれる（時刻情報記述子に含まれる）時刻情報を用いて、処理を行うので、迅速に処理を行うことができる。
【０１７０】
＜PTP＞
【０１７１】
図１５は、時刻情報として用いることができるPTPで規定される時刻の情報（以下、単に、PTPともいう）を説明する図である。
【０１７２】
PTPは、IEEE1588で規定されており、80ビットで構成される。
【０１７３】
80ビットのPTPは、秒単位の時刻を表す48ビットの秒フィールド(secondsField)と、ナノ秒単位の時刻を表す32ビットのナノ秒フィールド(nanosecondsField)とから構成される。
【０１７４】
秒フィールドの1は、1秒を表し、ナノ秒フィールドの1は、1ナノ秒を表す。
【０１７５】
したがって、例えば、+2.000000001秒を表すPTPでは、秒フィールドは、0x000000000002となり、ナノ秒フィールドは、0x00000001となる。なお、0xは、その後に続く値が16進数であることを表す。
【０１７６】
ここで、109ナノ秒は、1秒であるため、ナノ秒フィールドは、0ないし109未満の値をとる。
【０１７７】
すなわち、ナノ秒フィールドの最大値は、109-1である。109-1は、30ビットで表現することができるので、32ビットのナノ秒フィールドの上位2ビットは、常時0となる。
【０１７８】
IEEE1588では、PTPが表す時刻の起点であるエポック(epoch)が、国際原子時(TAI( International Atomic Time)の1970年1月1日の0時であることが規定されている。すなわち、IEEE1588のPTPは、TAIの1970年1月1日の0時をエポックとする時刻を表す。
【０１７９】
図４で説明したように、PTPを、物理層フレームに含める時刻情報として採用した場合には、正確な時刻情報を伝送し、受信装置１０で正確な時刻を再生することができ、リープ秒の問題の発生を防止することができる。
【０１８０】
ところで、PTPによれば、極めて正確な時刻を表現することができるが、図１の伝送システムで放送を行う場合に、その放送に必要以上の精度の時刻情報を伝送することは、伝送帯域を圧迫し、効率的でない。
【０１８１】
80ビットのPTPは、放送によるサービスの提供にとって、十分過ぎる精度の時刻情報であり、PTPの情報量を、ある程度低下させても、放送によるサービスの提供を十分維持することができる。
【０１８２】
そこで、図１の伝送システムでは、時刻情報としてのPTPを、その情報量を低下させて伝送することができる。
【０１８３】
PTPの情報量を低下させる方法としては、例えば、PTPの伝送頻度を低下させる方法や、PTPを圧縮する方法がある。
【０１８４】
ここで、時刻情報は、図５ないし図１０で説明したように、物理層フレームのプリアンブルではなく、ペイロードに含めることができるが、以下では、時刻情報を、物理層フレームのプリアンブルに含める場合を例として、説明を行う。
【０１８５】
＜PTPの伝送頻度を低下させる方法＞
【０１８６】
図１６は、PTPの伝送頻度を低下させる方法の例を説明する図である。
【０１８７】
時刻情報としてのPTPは、すべての物理層フレームに含めることができるが、受信装置２０において、送信装置１０との同期を、必要とされる精度でとるのに、すべての物理層フレーム（の第２プリアンブルPreamble）に、PTPを含める必要がない場合がある。
【０１８８】
そこで、PTPは、すべての物理層フレームに含めるのではなく、一部の物理層フレームだけに含めることができ、これにより、PTPの伝送頻度を低下させることができる。
【０１８９】
図１６では、4フレームの物理層フレームごとに、その4フレームの物理層フレームのうちの先頭の物理層フレーム（の第２プリアンブルPreamble）にだけ、時刻情報としてのPTPが挿入されて伝送されている。
【０１９０】
この場合、送信装置１０から受信装置２０に伝送するPTPの情報量を、約1/4に低下させ、PTPを、効率的に伝送することができる。
【０１９１】
＜PTPを圧縮する方法＞
【０１９２】
図１７は、PTPを圧縮する方法の例を説明する図である。
【０１９３】
PTPの48ビットの秒フィールドによれば、約892万年の広範囲な時刻を表現することができるが、放送については、そこまで広範囲な時刻は、必要とされない。
【０１９４】
ここで、例えば、米国では、アナログ放送は、約80年で第1世代ディジタル放送方式(ATSC)に切り替えられた。また、第1世代ディジタル放送方式(ATSC)は、放送開始から約30年程度で第2世代ディジタル放送方式(ATSC3.0)に置き換わる見込みである。
【０１９５】
かかる現状に鑑みて、図１の伝送システムによる放送が、例えば、2016年から90年間程度使用されると仮定した場合、物理層フレームに含められる時刻情報としては、2106年程度までの時刻をカウントすることができれば、十分である。
【０１９６】
PTPのエポックとして、IEEE1588に規定されているエポック（以下、標準エポックともいう）は、1970年（1月1日の0時）であるので、2106年までの時刻をカウントするには、136=2106-1970年間の時刻をカウントすることができれば良い。
【０１９７】
136年間の秒数は、32ビットでカウントすることができるので、2106年までの時刻を、PTPでカウントする場合には、秒フィールドは、32ビットで十分である。
【０１９８】
また、PTPのエポックとして、標準エポックではなく、独自に決定したエポック（以下、独自エポックともいう）を採用した場合には、秒フィールドとしては、さらに、少ないビット数を採用し得る。
【０１９９】
すなわち、例えば、31ビットで、秒をカウントする場合には、約68年間の秒数をカウントすることができる。いま、独自エポックとして、例えば、2016年を用いることとすると、秒フィールドとして、31ビットを採用した場合には、2084=2016+68年までの時刻をカウントすることができる。
【０２００】
したがって、図１の伝送システムによる放送が、例えば、2016年から、2080年程度まで使用されると仮定した場合には、2016年（1月1日）を、独自エポックとして用いることにより、秒フィールドとしては、31ビットを採用することができる。
【０２０１】
ここで、以上をまとめると、以下のようになる。
【０２０２】
すなわち、秒フィールドとして、32ビットを採用した場合には、約136年間の秒数をカウントすることができる。かかる秒フィールドによれば、標準エポックを採用した場合には、2106(=1970+136)年までの時刻をカウントすることができ、2016年を独自エポックとして採用した場合には、2152(=2016+136)年までの時刻をカウントすることができる。
【０２０３】
また、秒フィールドとして、31ビットを採用した場合には、約68年間の秒数をカウントすることができる。かかる秒フィールドによれば、標準エポックを採用した場合には、2038(=1970+68)年までの時刻をカウントすることができ、2016年を独自エポックとして採用した場合には、2084(=2016+68)年までの時刻をカウントすることができる。
【０２０４】
以上から、図１の伝送システムによる放送が行われる期間として、どの程度の期間を見積もるかによるが、秒フィールドは、例えば、31ビットや32ビット程度で、十分であると予想される。
【０２０５】
一方、PTPのナノ秒フィールドは、ナノ秒単位の時刻を表すので、最高で、1GHz（の周波数）のクロックをカウントすることができるが、放送については、そこまで高速なクロック（のカウント）は、必要とされない。
【０２０６】
ここで、32ビットのナノ秒フィールドによれば、1GHzのクロックをカウントすることができる。すなわち、32ビットのナノ秒フィールドによれば、1GHzのクロックに同期して、1ns(=1/(1GHz))に対応する20ずつ値を増加しながら、0x0ないし0x3b9ac9ff(=109-1)の値が繰り返しカウントされる。
【０２０７】
また、例えば、32ビットのナノ秒フィールドの下位5ビットを削除した27ビットのナノ秒フィールドによれば、32.25MHz=1GHz/25のクロックをカウントすることができる。すなわち、27ビットのナノ秒フィールドによれば、32ビット換算では、32.25MHzのクロックに同期して、25ns(=1/(32.25MHz))に対応する25ずつ値を増加しながら、0x0ないし0x3b9ac9e0(=109-25)の値が繰り返しカウントされる。
【０２０８】
さらに、例えば、32ビットのナノ秒フィールドの下位13ビットを削除した19ビットのナノ秒フィールドによれば、122.0...kHz=1GHz/213のクロックをカウントすることができる。すなわち、19ビットのナノ秒フィールドによれば、32ビット換算では、122.0...kHzのクロックに同期して、213ns(=1/(122.0...kHz))に対応する213ずつ値を増加しながら、0x0ないし0x3b9aa000(=109-213)の値が繰り返しカウントされる。
【０２０９】
放送では、一般に、90kHzや27MHz程度のクロックが採用される。
【０２１０】
32.25MHzのクロックをカウントすることができる27ビットのナノ秒フィールドによれば、27MHzのクロックの精度を確保することができる。122.0...kHzのクロックをカウントすることができる19ビットのナノ秒フィールドによれば、90kHzのクロックの精度を確保することができる。
【０２１１】
したがって、90kHzや27MHz程度のクロックを採用する放送では、ナノ秒フィールドを、例えば、その下位5ビットや13ビットを削除して、27ビットや19ビットとしても、十分な精度を確保することができる。
【０２１２】
なお、図１５で説明したように、ナノ秒フィールドの上位2ビットは、常時0であるため、下位5ビットや下位13ビットを削除した27ビットや19ビットのナノ秒フィールドについては、さらに、上位2ビットを削除し、25ビットや17ビットのナノ秒フィールドとすることができる。
【０２１３】
図１７は、秒フィールドを、32ビットに圧縮するとともに、ナノ秒フィールドを19ビットに圧縮する場合の、PTPの圧縮の例を示している。
【０２１４】
送信装置１０（図１１）においては、時刻情報取得部６１から記述子生成部６２に、48ビットの秒フィールドと、32ビットのナノ秒フィールドとで構成される80ビットのPTPが供給される。
【０２１５】
記述子生成部６２は、48ビットの秒フィールドの、例えば、上位16ビットを削除することにより、48ビットの秒フィールドを、32ビットの秒フィールド（以下、圧縮秒フィールドともいう）に圧縮する。
【０２１６】
さらに、記述子生成部６２は、32ビットのナノ秒フィールドの、例えば、下位13ビットを削除することにより、32ビットのナノ秒フィールドを、19ビットのナノ秒フィールド（以下、圧縮ナノ秒フィールドともいう）に圧縮する。
【０２１７】
そして、記述子生成部６２は、32ビットの圧縮秒フィールドと、19ビットの圧縮ナノ秒フィールドとに圧縮された51ビットのPTP（以下、圧縮PTPともいう）を、時刻情報記述子に含め、プリアンブル生成部６３（図１１）に供給する。
【０２１８】
以上のように、PTPを圧縮する方法では、PTPの秒フィールド及びナノ秒フィールドそれぞれの一部のビットが削除されることにより、PTPが、いわば中間フォーマットの圧縮PTP（圧縮時刻情報）に圧縮されて伝送される。
【０２１９】
受信装置２０（図１３）では、時刻情報取得部８１が、時刻情報記述子に含まれる圧縮PTPを取得し、その圧縮PTPを、IEEE1588に規定するフォーマットのPTPに復元する。
【０２２０】
すなわち、時刻情報取得部８１は、圧縮PTPの32ビットの圧縮秒フィールドの上位ビットとして、16ビットの0を付加（追加）することで、32ビットの圧縮秒フィールドを、48ビットの秒フィールドに復元する。
【０２２１】
さらに、時刻情報取得部８１は、圧縮PTPの19ビットの圧縮ナノ秒フィールドの下位ビットとして、13ビットの0を付加することで、19ビットの圧縮ナノ秒フィールドを、32ビットのナノ秒フィールドに復元する。
【０２２２】
そして、時刻情報取得部８１は、48ビットの秒フィールドと、32ビットのナノ秒フィールドとで構成される、IEEE1588に規定するフォーマットのPTPに復元する。
【０２２３】
なお、記述子生成部６２では、32ビットのナノ秒フィールドの、下位13ビットを削除するとともに、上述したように、常時0になっている上位2ビットを削除し、32ビットのナノ秒フィールドを、17ビットの圧縮ナノ秒フィールドに圧縮することができる。
【０２２４】
この場合、時刻情報取得部８１では、17ビットの圧縮ナノ秒フィールドの下位ビットとして、13ビットの0を付加するとともに、上位ビットとして、2ビットの0を付加することで、17ビットの圧縮ナノ秒フィールドが、32ビットのナノ秒フィールドに復元される。
【０２２５】
また、PTPのエポックとして、標準エポックではなく、独自エポックを採用する場合には、記述子生成部６２は、標準エポックと独自エポックとの差分（独自エポック−標準エポック）に対応する時間（以下、差分時間ともいう）を、PTPから減算してから、その減算後のPTPを、圧縮PTPに圧縮する。
【０２２６】
さらに、この場合、時刻情報取得部８１は、圧縮秒フィールド及び圧縮ナノ秒フィールドを、秒フィールド及びナノ秒フィールドに復元した後に、その復元後の秒フィールド及びナノ秒フィールドに、差分時間を加算することで、IEEE1588に規定するフォーマットのPTP（標準エポックのPTP）を復元する。
【０２２７】
＜圧縮モード＞
【０２２８】
図１８は、PTPを圧縮する圧縮モードの例を示す図である。
【０２２９】
図１８では、圧縮モードは、4ビットで表され、モード0ないし15の16種類の圧縮モードを定義することができる。
【０２３０】
なお、図１８では、モード3及び7ないし15は、未定義(Reserved)になっており、実質的には、6種類の圧縮モードが定義されている。
【０２３１】
モード0では、PTPは、圧縮されず、48ビットの秒フィールドと、32ビットのナノ秒フィールドとで構成されるPTPが用いられる。また、モード0では、PTPのエポックとして、標準エポックが用いられる。
【０２３２】
モード1では、48ビットの秒フィールドが、上位16ビットを削除することにより、32ビットの秒フィールドに圧縮されるとともに、32ビットのナノ秒フィールドが、下位13ビットを削除することにより、19ビットのナノ秒フィールドに圧縮される。また、モード1では、PTPのエポックとして、標準エポックが用いられる。
【０２３３】
モード2では、48ビットの秒フィールドが、上位16ビットを削除することにより、32ビットの秒フィールドに圧縮されるとともに、32ビットのナノ秒フィールドが、下位5ビットを削除することにより、27ビットのナノ秒フィールドに圧縮される。また、モード2では、PTPのエポックとして、標準エポックが用いられる。
【０２３４】
モード4では、PTPは、圧縮されず、48ビットの秒フィールドと、32ビットのナノ秒フィールドとで構成されるPTPが用いられる。また、モード4では、PTPのエポックとして、独自エポックが用いられる。
【０２３５】
モード5では、48ビットの秒フィールドが、上位17ビットを削除することにより、31ビットの秒フィールドに圧縮されるとともに、32ビットのナノ秒フィールドが、下位13ビットを削除することにより、19ビットのナノ秒フィールドに圧縮される。また、モード5では、PTPのエポックとして、独自エポックが用いられる。
【０２３６】
モード6では、48ビットの秒フィールドが、上位17ビットを削除することにより、31ビットの秒フィールドに圧縮されるとともに、32ビットのナノ秒フィールドが、下位5ビットを削除することにより、27ビットのナノ秒フィールドに圧縮される。また、モード6では、PTPのエポックとして、独自エポックが用いられる。
【０２３７】
圧縮モードは、例えば、送信装置１０側において、秒フィールド及びナノ秒フィールドについて、放送に必要なビット数を見積もって決定される。
【０２３８】
なお、図１７で説明したように、ナノ秒フィールドについては、下位ビットの他、上位2ビットを削除して、圧縮することができる。
【０２３９】
ナノ秒フィールドの、下位ビット及び上位2ビットを削除する圧縮モードは、図１８において、未定義になっているモードのいずれかに割り当てることができる。
【０２４０】
＜時刻情報記述子のシンタクス＞
【０２４１】
図１９は、時刻情報記述子のシンタクスの第１の例を示す図である。
【０２４２】
図１９においてtime_info_flagは、時刻情報としてのPTP（圧縮PTP）の有無を表す時刻情報フラグであり、値0は、PTPが存在することを表し、値1は、PTPが存在しないことを表す。
【０２４３】
本実施の形態では、time_info_flagとして、1ビットのフラグを採用するが、time_info_flagには、2ビット以上を割り当てることができる。
【０２４４】
time_info_flagが、0である場合、時刻情報記述子には、PTPが含まれず、time_info_flagが、1である場合、時刻情報記述子には、PTPが含まれる。
【０２４５】
例えば、図１６に示したように、4フレームの物理層フレームごとに、その4フレームの物理層フレームのうちの先頭の物理層フレームにだけ、時刻情報としてのPTPを挿入する場合には、その先頭の物理層フレームに含める時刻情報記述子のtime_info_flagが1にされ、残りの3フレームの物理層フレームに含める時刻情報記述子のtime_info_flagが0にされる。
【０２４６】
図１９において、PTP_seconsFieldは、PTPの秒フィールドを表し、PTP_nanosecondsFieldは、PTPのナノ秒フィールドを表す。
【０２４７】
図１９では、圧縮モード（図１８）がモード1の圧縮PTPが採用されており、そのため、PTP_seconsFieldが、32ビットになっており、PTP_nanosecondsFieldが、19ビットになっている。
【０２４８】
図１９のシンタクスは、圧縮モードを、モード1等の所定のモードに固定する場合に使用される。
【０２４９】
なお、圧縮モードは、モード1以外のモードに固定することができる。圧縮モードを、どのモードに固定するかは、例えば、放送規格で規定することができる。
【０２５０】
図２０は、時刻情報記述子のシンタクスの第２の例を示す図である。
【０２５１】
図２０において、time_info_flagは、図１９で説明した時刻情報フラグである。
【０２５２】
図２０では、time_info_flagが、0である場合、時刻情報記述子には、圧縮モード及びPTPが含まれず、time_info_flagが、1である場合、時刻情報記述子には、圧縮モード及びPTPが含まれる。
【０２５３】
図２０において、modeは、圧縮モードを表す。
【０２５４】
modeが0又は4である場合、時刻情報記述子には、図１８で説明したように、48ビットの秒フィールド（PTP_secondsField)と、32ビットのナノ秒フィールド(PTP_nanosecondsField)とで構成されるPTPが含まれる。
【０２５５】
modeが1である場合、時刻情報記述子には、図１８で説明したように、32ビットの圧縮秒フィールド（PTP_secondsField)と、19ビットの圧縮ナノ秒フィールド(PTP_nanosecondsField)とで構成される圧縮PTPが含まれる。
【０２５６】
modeが2である場合、時刻情報記述子には、図１８で説明したように、32ビットの圧縮秒フィールド（PTP_secondsField)と、27ビットの圧縮ナノ秒フィールド(PTP_nanosecondsField)とで構成される圧縮PTPが含まれる。
【０２５７】
modeが5である場合、時刻情報記述子には、図１８で説明したように、31ビットの圧縮秒フィールド（PTP_secondsField)と、19ビットの圧縮ナノ秒フィールド(PTP_nanosecondsField)とで構成される圧縮PTPが含まれる。
【０２５８】
modeが6である場合、時刻情報記述子には、図１８で説明したように、31ビットの圧縮秒フィールド（PTP_secondsField)と、27ビットの圧縮ナノ秒フィールド(PTP_nanosecondsField)とで構成される圧縮PTPが含まれる。
【０２５９】
図２０のシンタクスは、圧縮モードを必要に応じて選択可能とする場合に使用される。
【０２６０】
なお、図１９及び図２０の時刻情報記述子は、時刻情報フラグであるtime_info_flagを含めずに構成することができる。
【０２６１】
時刻情報記述子に、time_info_flagが含まれない場合、時刻情報としての（圧縮）PTPは、すべての物理層フレームで伝送される。
【０２６２】
ここで、以上のように、PTPの伝送頻度を低下させる方法や、PTPを圧縮する方法は、時刻情報として、PTP以外の、NTPで規定されている時刻の情報や、3GPPで規定されている時刻の情報、GPS情報に含まれる時刻の情報、その他独自に決定された形式の時刻の情報等の任意の時刻の情報にも適用することができる。
【０２６３】
なお、以上においては、図１の伝送システムにおいて、IPパケットを伝送することとしたが、IPパケット以外の、例えば、TSパケット等を伝送することができる。
【０２６４】
また、図１の伝送システムは、例えば、ATSC3.0や、DVB，ISDB等の任意のデータ伝送に適用することができる。
【０２６５】
＜DVB-T.2の物理層フレーム＞
【０２６６】
図２１は、DVB-T.2の物理層フレームであるT2フレーム(T2frame)の構成を示す図である。
【０２６７】
T2フレームは、プリアンブルとしてのP1及びP2と、ペイロードとしてのデータシンボル(Data Symbols)とを有する。
【０２６８】
P1は、P1 signalingを有し、P2は、L1-pre signaling及びL1-post signalingを有する。
【０２６９】
L1-post signalingは、Configurable, Dynamic, Extension, CRC, L1 paddingを有する。
【０２７０】
時刻情報記述子は、以上のようなT2フレームのプリアンブル（のうちの、例えば、P2）に含めることができる。
【０２７１】
＜本技術を適用したコンピュータの説明＞
【０２７２】
次に、送信装置１０や受信装置２０の一連の処理は、ハードウェアにより行うこともできるし、ソフトウェアにより行うこともできる。一連の処理をソフトウェアによって行う場合には、そのソフトウェアを構成するプログラムが、コンピュータにインストールされる。
【０２７３】
図２２は、上述した一連の処理を実行するプログラムがインストールされるコンピュータの一実施の形態の構成例を示すブロック図である。
【０２７４】
プログラムは、コンピュータに内蔵されている記録媒体としてのハードディスク１０５やROM１０３に予め記録しておくことができる。
【０２７５】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０２７６】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２７７】
コンピュータは、CPU(Central Processing Unit)１０２を内蔵しており、CPU１０２には、バス１０１を介して、入出力インタフェース１１０が接続されている。
【０２７８】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０２７９】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０２８０】
なお、入力部１０７は、キーボードや、マウス、マイク等で構成される。また、出力部１０６は、LCD(Liquid Crystal Display)やスピーカ等で構成される。
【０２８１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２８２】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２８３】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２８４】
なお、本技術の実施の形態は、上述した実施の形態に限定されるものではなく、本技術の要旨を逸脱しない範囲において種々の変更が可能である。
【０２８５】
例えば、本技術は、１つの機能をネットワークを介して複数の装置で分担、共同して処理するクラウドコンピューティングの構成をとることができる。
【０２８６】
また、上述のフローチャートで説明した各ステップは、１つの装置で実行する他、複数の装置で分担して実行することができる。
【０２８７】
さらに、１つのステップに複数の処理が含まれる場合には、その１つのステップに含まれる複数の処理は、１つの装置で実行する他、複数の装置で分担して実行することができる。
【０２８８】
また、本明細書に記載された効果はあくまで例示であって限定されるものではなく、他の効果があってもよい。
【０２８９】
なお、本技術は、以下のような構成をとることができる。
【０２９０】
＜１＞
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを生成する生成部と、
前記物理層フレームを送信する送信部と
を備える送信装置。
＜２＞
前記時刻情報記述子は、前記時刻情報を圧縮した圧縮時刻情報を含む
＜１＞に記載の送信装置。
＜３＞
前記時刻情報の1ビット以上の下位ビットを削除することにより、前記時刻情報を、前記圧縮時刻情報に圧縮する
＜２＞に記載の送信装置。
＜４＞
前記時刻情報の1ビット以上の、値が0の上位ビットを削除することにより、前記時刻情報を、前記圧縮時刻情報に圧縮する
＜２＞又は＜３＞に記載の送信装置。
＜５＞
前記時刻情報記述子は、前記時刻情報の圧縮モードをさらに含む
＜２＞ないし＜４＞のいずれかに記載の送信装置。
＜６＞
前記プリアンブルは、第１プリアンブルと、前記第１プリアンブルに続く第２プリアンブルとを有し、
前記時刻情報記述子は、前記第２プリアンブルに含まれ、
前記時刻情報記述子に含まれる時刻情報は、前記第２プリアンブルの先頭の位置の時刻を表す
＜１＞ないし＜５＞のいずれかに記載の送信装置。
＜７＞
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
＜２＞ないし＜６＞のいずれかに記載の送信装置。
＜８＞
前記PTPで規定される時刻の情報を構成する48ビットの秒フィールド、及び、32ビットのナノ秒フィールドのうちの前記秒フィールドの1ビット以上の上位ビットを削除するとともに、前記ナノ秒フィールドの1ビット以上の下位ビットを削除することにより、前記時刻情報を、前記圧縮時刻情報に圧縮する
＜７＞に記載の送信装置。
＜９＞
前記ナノ秒フィールドの上位2ビットを、さらに削除することにより、前記時刻情報を、前記圧縮時刻情報に圧縮する
＜８＞に記載の送信装置。
＜１０＞
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを生成することと、
前記物理層フレームを送信することと
を含む送信方法。
＜１１＞
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを受信する受信部と、
前記物理層フレームのプリアンブルに含まれる前記時刻情報記述子に含まれる時刻情報を用いて、処理を行う処理部と
を備える受信装置。
＜１２＞
前記時刻情報記述子は、前記時刻情報を圧縮した圧縮時刻情報を含む
＜１１＞に記載の受信装置。
＜１３＞
前記圧縮時刻情報は、前記時刻情報の1ビット以上の下位ビットを削除することにより圧縮されている
＜１２＞に記載の受信装置。
＜１４＞
前記圧縮時刻情報は、前記時刻情報の1ビット以上の、値が0の上位ビットを削除することにより圧縮されている
＜１２＞又は＜１３＞に記載の受信装置。
＜１５＞
前記時刻情報記述子は、前記時刻情報の圧縮モードをさらに含む
＜１２＞ないし＜１４＞のいずれかに記載の受信装置。
＜１６＞
前記プリアンブルは、第１プリアンブルと、前記第１プリアンブルに続く第２プリアンブルとを有し、
前記時刻情報記述子は、前記第２プリアンブルに含まれ、
前記時刻情報記述子に含まれる時刻情報は、前記第２プリアンブルの先頭の位置の時刻を表す
＜１１＞ないし＜１５＞のいずれかに記載の受信装置。
＜１７＞
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
＜１２＞ないし＜１６＞のいずれかに記載の受信装置。
＜１８＞
前記圧縮時刻情報は、前記PTPで規定される時刻の情報を構成する48ビットの秒フィールド、及び、32ビットのナノ秒フィールドのうちの前記秒フィールドの1ビット以上の上位ビットを削除するとともに、前記ナノ秒フィールドの1ビット以上の下位ビットを削除することにより圧縮されている
＜１７＞に記載の受信装置。
＜１９＞
前記圧縮時刻情報は、前記ナノ秒フィールドの上位2ビットを、さらに削除することにより圧縮されている
＜１８＞に記載の受信装置。
＜２０＞
プリアンブルとペイロードとを有する物理層フレームのストリームにおける所定の位置の時刻を表す時刻情報の有無を表す時刻情報フラグを含み、
前記時刻情報フラグが、前記時刻情報があることを表す場合に、前記時刻情報を、さらに含む
時刻情報記述子を、前記プリアンブルに含む前記物理層フレームを受信することと、
前記物理層フレームのプリアンブルに含まれる前記時刻情報記述子に含まれる時刻情報を用いて、処理を行うことと
を含む受信方法。
【符号の説明】
【０２９１】
１０  送信装置，  ２０  受信装置，  ３０  伝送路，  ６１  時刻情報取得部，  ６２  記述子生成部，  ６３  プリアンブル生成部，  ６４  コンポーネント取得部，  ６５  エンコーダ，  ６６  フレーム生成部，  ６７  送信部，  ６８，７１  アンテナ，  ７２  チューナ，  ７３  復調部，  ７４  処理部，  ７５  表示部，  ７６  スピーカ，  ８１  時刻情報取得部，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2016225906.tif 000003
【図２】
2016225906.tif 000004
【図３】
2016225906.tif 000005
【図４】
2016225906.tif 000006
【図５】
2016225906.tif 000007
【図６】
2016225906.tif 000008
【図７】
2016225906.tif 000009
【図８】
2016225906.tif 000010
【図９】
2016225906.tif 000011
【図１０】
2016225906.tif 000012
【図１１】
2016225906.tif 000013
【図１２】
2016225906.tif 000014
【図１３】
2016225906.tif 000015
【図１４】
2016225906.tif 000016
【図１５】
2016225906.tif 000017
【図１６】
2016225906.tif 000018
【図１７】
2016225906.tif 000019
【図１８】
2016225906.tif 000020
【図１９】
2016225906.tif 000021
【図２０】
2016225906.tif 000022
【図２１】
2016225906.tif 000023
【図２２】
2016225906.tif 000024